(57)【要約】【課題】電気信号に基づく振動によって得られる音を聴きながら周囲の音も聴取することができ、また筐体の振動による音漏れを抑制できる電気音響変換器及び音響機器を提供する。【解決手段】本発明の電気音響変換器は、電気信号を機械振動に変換する電気機械変換器２と、外耳道を塞がずに耳甲介腔に装着可能であって、電気機械変換器２を内部に収容するとともに電気機械変換器２による機械振動によって振動して音を発生させる筐体４と、を備え、筐体４は、耳甲介腔に装着した際に外耳道側に位置する内側筐体部分４０と外界側に位置する外側筐体部分４１とを備え、筐体４は、楕円体形状又は卵形形状であることを特徴とする。【選択図】図１
2019186801.tif 000002
【特許請求の範囲】
【請求項１】
電気信号を機械振動に変換する電気機械変換器と、
外耳道を塞がずに耳甲介腔に装着可能であって、前記電気機械変換器を内部に収容するとともに該電気機械変換器による機械振動によって振動して音を発生させる筐体と、を備え、
前記筐体は、前記耳甲介腔に装着した際に前記外耳道側に位置する内側筐体部分と外界側に位置する外側筐体部分とを備え、前記筐体は、楕円体形状又は卵形形状であることを特徴とする電気音響変換器。
【請求項２】
前記筐体は、前記楕円体形状又は前記卵形形状としての幅が１０ｍｍ以上１４ｍｍ以下になることを特徴とする請求項１に記載の電気音響変換器。
【請求項３】
前記電気機械変換器は、前記筐体を、前記外耳道方向に振動させることを特徴とする請求項１又は２に記載の電気音響変換器。
【請求項４】
前記電気機械変換器は、前記筐体に対して、該電気機械変換器の中心と該筐体の中心が一致する位置に配設されることを特徴とする請求項１〜３の何れか一項に記載の電気音響変換器。
【請求項５】
前記外側筐体部分は、前記電気機械変換器につながるコードを挿通させるコード引出部を備えることを特徴とする請求項１〜４の何れか一項に記載の電気音響変換器。
【請求項６】
請求項１〜５の何れか一項に記載の電気音響変換器を用いたことを特徴とする音響機器。
【発明の詳細な説明】
【技術分野】
【０００１】
本発明は装着者に音を伝える電気音響変換器及び音響機器に関するものであり、特に、電気機械変換器で生じる機械振動によって筐体を振動させて音を伝える電気音響変換器、及び電気音響変換器と音源とを含んで構成される音響機器に関する。
【背景技術】
【０００２】
補聴器やイヤホンなどのように装着者に音を伝える電気音響変換器及び音響機器においては、従来、電気機械変換器で電気信号を機械振動に変換し、その機械振動で筐体を振動させることによって気導音（外耳道の空気を振動させて伝わる音）や骨導音（頭蓋骨を振動させて伝わる音）を発生させて聴覚に音を伝える、音口を持たないものが提案されている。
【０００３】
例えば特許文献１には、骨導音を生じさせる骨伝導イヤホンが示されている。この骨伝導イヤホンは、楕円体状に形成されるとともに内側（特許文献１では正面側と称している）と外側（特許文献１では背面側と称している）に凸部を設けた形態をなす骨伝導振動部を有し、耳甲介腔に装着した際には、骨伝導振動部の長さ方向の一端部が耳珠及び耳甲介腔の壁部に圧接され、他端部が対珠及び耳甲介腔の壁部に圧接され、外側凸部が耳珠に圧接され、更に内側凸部が耳甲介腔の壁部における外耳道の入口周辺に圧接されるように構成されている。
【０００４】
そして特許文献２には、棒状の骨伝導スピーカ部とリング状の振動伝達部を備える受話装置が開示されている。ここで骨伝導スピーカ部は、その長手方向の一端が支持部を介して振動伝達部と結合し、珠間切痕付近から耳介の外側に突出する構成をしており、振動伝達部は、耳珠と対珠に圧接される大きさで形成されている。
【先行技術文献】
【特許文献】
【０００５】
【特許文献１】特開２０１２−２２２６８２号公報
【特許文献２】特開２００７−１０３９８９号公報
【発明の概要】
【発明が解決しようとする課題】
【０００６】
ところで最近は、電気音響変換器から発せられる振動に基づく音（例えば音楽など）を聴きながら周囲の音も聴取したいとする要望がある。しかし特許文献１の骨伝導イヤホンを耳甲介腔に装着すると、外耳道は塞がれることになる。このため、この電気音響変換器を使用しながら周囲の音をそのまま聴取することは困難である。一方、特許文献２の受話装置は、振動伝達部をリング形状等にすることより、耳甲介腔に装着した状態でも外耳道は開放されていて、電気音響変換器による音を聴きながら周囲の音声を聴取することが可能であるとされている。しかし、骨伝導スピーカ部は珠間切痕の外側に配置されるので、外部へ音が放出され易い構造である。
【０００７】
本発明はこのような問題点を解決することを課題とするものであり、電気信号に基づく振動によって得られる音を聴きながら周囲の音も聴取することができるとともに、筐体の振動による外界への放射音（音漏れ）を抑制でき、また耳甲介腔への装着も容易な、電気音響変換器及び音響機器を提供することを目的とする。
【課題を解決するための手段】
【０００８】
本発明における電気音響変換器は、電気信号を機械振動に変換する電気機械変換器と、外耳道を塞がずに耳甲介腔に装着可能であって、前記電気機械変換器を内部に収容するとともに該電気機械変換器による機械振動によって振動して音を発生させる筐体と、を備え、前記筐体は、前記耳甲介腔に装着した際に前記外耳道側に位置する内側筐体部分と外界側に位置する外側筐体部分とを備え、前記筐体は、楕円体形状又は卵形形状であることを特徴とする。
【０００９】
このような電気音響変換器において、前記筐体は、前記楕円体形状又は前記卵形形状としての幅が１０ｍｍ以上１４ｍｍ以下になることが好ましい。
【００１０】
そして前記電気機械変換器は、前記筐体を、前記外耳道の方向に振動させることが好ましい。
【００１１】
また前記電気機械変換器は、前記筐体に対して、該電気機械変換器の中心と該筐体の中心が一致する位置に配設されることが好ましい。
【００１２】
そして前記外側筐体部分は、前記電気機械変換器につながるコードを挿通させるコード引出部を備えることが好ましい。
【発明の効果】
【００１３】
本発明において、電気機械変換器によって振動する筐体は、外耳道を塞がずに耳甲介腔に装着されるものであるため、音響機器として使用しながら周囲の音を気導音として聴取することができる。また、外側筐体部分にコード引出部を設ける場合は、耳甲介腔に装着した際にコード引出部が珠間切痕に収まるように位置するので、耳甲介腔に簡単に且つ安定的に装着することができる。
【００１４】
また、電気機械変換器によって筐体を振動させる電気音響変換器においては、電気機械変換器を駆動させた際、耳甲介腔の壁部に当接する内側筐体部分のみならず、内側筐体部分に対向する外側筐体部分も振動するため、外側筐体部分の振動が空気に伝わって周囲に音が漏れることがある。一方、本発明の筐体は楕円体形状又は卵形形状のように外形が全体的にほぼ曲面で形成された形状であって、かつ小型であるため、筐体の大きさと比較して十分離れた位置では前記筐体が振動したときに内側筐体部分の振動により発生する音と外側筐体部分の振動により発生する音が互いに打ち消され、周囲への音漏れを抑える効果も得られる。
【図面の簡単な説明】
【００１５】
【図１】本発明に従う電気音響変換器（イヤホン）の一実施形態を示した図であって、（ａ）は斜視図であり、（ｂ）は楕円体形状における互いに直交する３つの半軸に関する説明図であり、（ｃ）は正面図であり、（ｄ）は側面図である。
【図２】図１に示すイヤホンが備える電気機械変換器の構造を示した図であって、（ａ）は分解斜視図であり、（ｂ）は組み立て後の斜視図である。
【図３】図１に示すイヤホンの分解斜視図である。
【図４】図１に示すイヤホンを耳甲介腔に装着した状態を示す図である。
【図５】図１に示すイヤホンに取り付けられるアダプタを示した図であって、（ａ）はアダプタの斜視図であり、（ｂ）はアダプタをイヤホンに取り付けた状態を示す斜視図である。
【図６】アダプタを取り付けたイヤホンを耳甲介腔に装着した状態を示す図である。
【図７】本発明に従うイヤホンを備えた補聴器（音響機器）の一実施形態を示す図である。
【発明を実施するための形態】
【００１６】
以下、図面を参照しながら本発明に従う電気音響変換器の一つである、イヤホンの一実施形態について説明する。図１（ａ）、（ｃ）に示すように本実施形態のイヤホン１は、電気機械変換器２と、電気機械変換器２に接続されるコード３と、電気機械変換器２を内部に収容する筐体４と、筐体４に連結しコード３の引き出し口となるコード引出部５とを備えている。
【００１７】
電気機械変換器２は、コード３を介して伝えられる電気信号を機械振動に変換するものである。本実施形態の電気機械変換器２は、特許第５６５３５４３号に記載されている電気機械変換器と同様の構成となる、バネの復元力を利用したバランスド・アーマチュア型の電気機械変換器である。
【００１８】
ここで、電気機械変換器２の具体的な構成について図２（ａ）、（ｂ）を参照しながら説明する。電気機械変換器２は、対をなす磁石１０〜１３と、これらの磁石１０〜１３による磁束を導くヨーク１４、１５と、コード３からの電気信号が供給されるコイル１６とを一体的に配置した構造部を備えている。また構造部の厚み方向中央部には、この構造部の内部空間を貫く内側部１７ａと、この内側部から両側に突出した第１の外側部１７ｂ及び第２の外側部１７ｃとを有し、内側部のうち互いに逆向きの磁束が導かれる２つの領域を介して構造部と磁気回路を構成するアーマチュア１７が設けられている。またアーマチュア１７の両端部には、第１の外側部１７ｂと構造部との間に挟持され、磁気回路の磁気力によるアーマチュア１７の変位に応じた復元力を第１の外側部１７ｂに付与する第１の弾性機構１８、１９と、第２の外側部１７ｃと構造部との間に挟持され、アーマチュア１７の変位に応じた復元力を第２の外側部１７ｃに付与する第２の弾性機構２０，２１が設けられている。また第１及び第２の弾性機構１８〜２１の各々は、アーマチュア１７を挟みつつアーマチュア１７の変位方向に対称配置された１対の弾性部材を含んでいて、構造部は、弾性部材がそれぞれ取り付けられる複数の弾性部材取付部を有し、１対の弾性部材の各々は、一端が第１又は第２の外側部１７ｂ、１７ｃに係合し、他端が弾性部材取付部に係合した状態で配置される。なお、電気機械変換器２のその他の構成については、特許第５６５３５４３号のものと同様であるため、ここでは説明を省略する。
【００１９】
このような電気機械変換器２は、アーマチュア１７の第１及び第２の外側部１７ｂ、１７ｃが筐体４に固定支持される。そしてコード３を介して電気信号が印加されると、上述した構造部とアーマチュア１７との間に駆動力が発生してアーマチュア１７が相対的に変位する一方、アーマチュア１７を支持する第１及び第２の弾性機構１８〜２１からの復元力によってアーマチュア１７は元の位置に戻される。このため、電気信号に応じた機械振動がアーマチュア１７に生じるとともに、この機械振動がアーマチュア１７から筐体４に伝わるため、筐体４を振動させることができる。
【００２０】
そして筐体４は、図１（ａ）に示すように、イヤホン１を装着者の耳甲介腔に装着した際に内側（装着者の外耳道側）に位置し、耳甲介腔の壁部に当接する内側筐体部分４０と、内側筐体部分４０に対向し、耳甲介腔に装着した際に外界側に位置する外側筐体部分４１と、外側筐体部分４１に連結するとともにコード３を挿通させるコード引出部５とを備えている。本実施形態の内側筐体部分４０と外側筐体部分４１は、その内側において、図３に示すような、アーマチュア１７の第１及び第２の外側部１７ｂ、１７ｃが嵌まり込む凹部４３を備えている。そして内側筐体部分４０と外側筐体部分４１は、例えば接着剤等を使用して、アーマチュア１７の第１及び第２の外側部１７ｂ、１７ｃを固定支持した状態で結合されている。なお筐体４は、音の出口となる音口を持たないものであって、コード引出部５におけるコード３を挿通させるための孔を除いて内側筐体部分４０及び外側筐体部分４１に開口は設けられていない。なお、コード引出部５の開口をシールすることにより筐体４の内部を密閉することもできる。また、コード引出部５を別部材とし、コード３と一体成形して、外側筐体部分４１に設ける構造にすることもできる。
【００２１】
内側筐体部分４０は、楕円体形状又は卵形形状をなすように形作られている。ここで本明細書等における楕円体形状とは、図１（ｂ）に示すように、ｘｙｚ直交座標の原点に中心を置いたときに、下記の式（数１）を満たす曲面の少なくとも一部のことをいう。ここで、下記の式（数１）におけるａ、ｂ、ｃは、互いに直交する３つの半軸の長さであって、ａはｘ方向における半軸長であり、ｂはｙ方向における半軸長であり、ｃはｚ方向における半軸長である。なお、楕円体形状には、２つの半軸長が等しい回転楕円体形状や、３つの半軸長が等しい球体形状も含まれる。また卵形形状とは、例えば２次元平面における放物線や懸垂線（カテナリー曲線）などの曲線を、対称軸で回転させた際に形成される曲面の少なくとも一部のことをいう。本実施形態における内側筐体部分４０は、半軸長ｂ及びｃが等しい回転楕円体をｘｚ平面に沿って半分に切断した形状（半回転楕円体形状）で形作られている。そして外側筐体部分４１も、内側筐体部分４０と同一の半回転楕円体形状で形作られている。すなわち本実施形態の筐体４は、コード引出部５を除いて単一の回転楕円体として形成されている。なお本実施形態では、図１（ｄ）に示すように内側筐体部分４０と外側筐体部分４１の半軸長が一致していて、両者の合わせ位置Ｍは筐体４のセンターになっているが、これに限るものではない。
【００２２】
【数１】
2019186801.tif 000003
【００２３】
このような内側筐体部分４０と外側筐体部分４１で構成される筐体４に対して、上述した電気機械変換器２は、図１（ｄ）に示すように、電気機械変換器２の中心が筐体４の中心に一致する位置に配設されている。また電気機械変換器２が機械振動する方向は、内側筐体部分４０と外側筐体部分４１の合わせ位置Ｍのラインに対して垂直方向であって、内側筐体部分４０と外側筐体部分４１は、図１（ｄ）において矢印で示す方向（耳甲介腔に装着した際に、外耳道に向かう方向）に振動する。
【００２４】
なお、楕円体形状における３つの半軸長ａ、ｂ、ｃの値や卵形形状の曲線を規定する値は任意に選択することが可能であるが、後述するように本実施形態のイヤホン１は、耳甲介腔に装着した際に筐体４が外耳道を塞がない（筐体４は外耳道の入口の一部まで及んでいてもよいが、外耳道の入口を完全に覆っていない）大きさで形成されるものであり、その範囲でこれらの値が選択される。また、筐体４が大きすぎると、耳甲介腔に装着した際に筐体４が耳甲介腔の壁部に強く押し当たって不快感を伴うことになり、筐体４が小さすぎると、電気機械変換器２も小さくなって十分な出力が得られないうえ、耳甲介腔に装着した際の安定性が悪くなる。このような課題について検討を重ねた結果、楕円体形状又は卵形形状としての幅を１０ｍｍ以上１４ｍｍ以下にすることが好ましいことが見出された。なおこの数値範囲は、図１（ｃ）に示す楕円体形状では直径２ａ、２ｂ、２ｃが何れも１０ｍｍ以上１４ｍｍ以下になることを意味している。そして、この幅の更に好ましい範囲は１２ｍｍ以上１４ｍｍ以下であった。また形状としては、略球形状とすることが好ましかった。
【００２５】
また本実施形態のコード引出部５は円筒状であって、直径は３〜４ｍｍ程度としている。
【００２６】
このような形態になるイヤホン１は、図４に示すようにして使用される。具体的には、図４に示す耳甲介腔１００の下部に筐体４を引っ掛けるようにしつつ、コード引出部５は珠間切痕１０１に入れて、耳甲介腔１００に装着する。この状態において筐体４は、外耳道の入口１０２（図４においてハッチングを付した部位）を塞いでいないため、外耳道は外界に対して開放された状態にある。またこのとき、図１（ａ）に示した内側筐体部分４０は、耳甲介腔１００の壁部に当接している。また、外側筐体部４１の両側は、耳珠及び対珠の内側壁部に当接している。
【００２７】
そして、コード３を介して電気機械変換器２に電気信号が印加されると、構造部とアーマチュア１７との間で生じる機械振動に応じて筐体４が振動し、その振動により内側筐体部分４０自体が振動板として音を発生する。すなわち、イヤホン１によって、筐体４の振動により音を発生させることができ、印加した電気信号に応じた音を聴覚に伝えることができる。また外耳道は筐体４で塞がれていないため、イヤホン１から伝えられる音とともに周囲の音も聴取することができる。筐体４は楕円体形状又は卵形形状であって、かつ小型であるため、筐体４の大きさと比較して十分離れた位置では筐体４が振動したときに内側筐体部分４０の振動により発生する音と外側筐体部分４１の振動により発生する音が互いに打ち消されるため、周囲への音漏れを抑える効果も得られる。一方、外耳道へ伝わる音については、筐体４の大きさと比較して外耳道までの距離が短いため、内側筐体部分４０と外側筐体部分４１の外耳道までの距離の差が影響するため、ほとんど打ち消されない。
【００２８】
また、本実施形態においては、コード３を挿通させたコード引出部５を、珠間切痕１０１の窪みに合わせて耳甲介腔１００に装着することができるため、コード３を、耳甲介腔１００の外側へ自然と引き出すことができる。また、コード引出部５が珠間切痕１０１に収まるため、耳甲介腔１００に装着した際に筐体４を安定的に保持することができる。また、本実施形態のイヤホン１が備える、バネの復元力を利用したバランスド・アーマチュア型の電気機械変換器２は、高出力で筐体４を振動させることができるため、内側筐体部分４０を耳甲介腔１００の壁部にそれ程強く当接させずとも筐体４の振動により十分に音を伝えることができる。すなわち、従来の電気機械変換器は出力される振動が小さいために、聴覚に対して音を伝えるには筐体を耳甲介腔の壁部等に強く押し当てなければならず、長時間使用していると不快感を伴うことがあったが、本実施形態では上述した電気機械変換器２を使用しているため、この不快感も抑えることができる。
【００２９】
なお、上述したイヤホン１は、筐体４を耳甲介腔１００の下部に掛けるようにして装着するものであるため、例えば屋外で使用したり運動をしながら使用すると、安定しない場合がある。この場合は、例えば筐体４の下部に粘着性を有するテープなどを使用して、イヤホン１が耳甲介腔１００で動かないようにすればよい。また、図５（ａ）に示すようなアダプタ２００を取り付けて使用してもよい。本実施形態のアダプタ２００は、例えばシリコーン等の高分子エラストマーで形成されていて、球冠状をなし吸盤のように機能する基部２０１と、基部２０１から偏心して起立する略円柱状の幹部２０２とで構成されている。そして、図５（ｂ）に示すように基部２０１を筐体４の上部に吸着させ、それを図６に示すようにして耳甲介腔１００に装着する。この状態において、幹部２０２の先端は耳甲介腔１００の上側の壁部（対耳輪付近の壁部）に当接するため、筐体４は基部２０１によって下側の対珠と耳珠とに向けて押圧される。すなわち筐体４は、耳甲介腔１００において上下に挟まれるようにして保持されるため、運動時であっても安定的に使用することができる。
【００３０】
以上、本発明に従う電気音響変換器の一実施形態であるイヤホンについて説明したが、本発明は上述した実施形態に限定されるものではなく、特許請求の範囲に従う範疇で種々の変更を加えたものも含む。例えば、上述した外側筐体部分４１は、内側筐体部分４０と同一の半回転楕円体形状であったが、内側筐体部分４０とは相違する半軸となる楕円体形状にしてもよい。また、基本となる形を複数組み合わせた形状（例えば大部分は楕円体としたうえで一部に平坦面を設けた形状など）を採用してもよい。
【００３１】
また本発明に従う電気音響変換器を用いた音響機器は、オーディオ機器に限らず補聴器であってもよい。このような補聴器としては、例えば図７（ａ）に示すように、上述した如き筐体３００と、この筐体３００に細径電線コード３０１を介して接続される本体部３０２とを備える耳かけ型の補聴器が挙げられる。このような耳かけ型の補聴器は、図７（ｂ）に示すように、本体部３０２を耳介の後方に位置させた状態で細径電線コード３０１を耳介に掛けるとともに筐体３００を耳甲介腔１００に挿入することによって装着することができる。また図７（ｃ）に示すように、上述したアダプタ２００を取り付けて使用してもよい。また、イヤホンとして使用する場合にこのような耳かけ型の構成を採用してもよく、この場合は、例えば本体部にＢｌｕｅｔｏｏｔｈ（登録商標）の如き無線通信機能を持たせることで、上述したコード３を使用しないコードレスイヤホンを実現することができる。また筐体４に気導音用の音口を持たないため、防水機能を持たせた電気音響変換器及び音響機器も容易に実現することができる。
【符号の説明】
【００３２】
１：イヤホン（電気音響変換器）
２：電気機械変換器
３：コード
４：筐体
４０：内側筐体部分
４１：外側筐体部分
５：コード引出部
【図１】
2019186801.tif 000004
【図２】
2019186801.tif 000005
【図３】
2019186801.tif 000006
【図４】
2019186801.tif 000007
【図５】
2019186801.tif 000008
【図６】
2019186801.tif 000009
【図７】
2019186801.tif 000010